(57)【要約】      （修正有）【課題】屋根の勾配を小さくした場合においても、大量に降った雨水の一部がフィンを乗り越えて、屋根構造体の下側に漏水することがない屋根構造体を提供する。【解決手段】屋根パネル支持ピースを、集水樋部１１の側壁１１ａの上端にスライド係合させて水下側枠部材１に支持させるとともに、屋根パネル３の水下側端部を屋根パネル支持ピースの挿入空間２０に挿入し、下面をフィン２４に下方から受けさせるようにする一方、屋根パネル支持ピースの下面カバー部２２に、集水樋部１１の側壁１１ａに沿って段状に下方に落ち込む壁ｗを有する溝部２２ａを設けるようにした。【選択図】図２
2016011531.tif 000002
【特許請求の範囲】
【請求項１】
上面カバー部と、
この上面カバー部との間に屋根パネルの挿入空間を形成するとともに、端面カバー部を介して連結された下面カバー部と、
下面カバー部から上方に突設されて前記屋根パネルの下面を受けるフィンと、下面カバー部の下面に設けられた係合溝部を有する型材からなる屋根パネル支持ピースが、
型材からなる水下側枠部材の集水樋部の屋根内側の側壁上端に設けられた係合部を、前記係合溝部に前記水下側枠部材の長手方向一側からスライド係合させて前記水下側枠部材に支持されるとともに、
前記屋根パネルが、前記挿入空間に挿入された状態で前記集水樋部側が水下となる屋根面を形成するように葺かれている屋根構造体であって、
前記屋根パネル支持ピースは、前記集水樋部の屋根内側の側壁に沿って段状に下方に落ち込む壁を有する溝部を備えていることを特徴とする屋根構造体。
【請求項２】
カーポートまたはテラスの屋根を構成する請求項１に記載の屋根構造体。
【請求項３】
屋根パネル支持ピースが、たる木とたる木、あるいは、たる木と側枠たる木との間に設けられている請求項１または請求項２に記載の屋根構造体。
【発明の詳細な説明】
【技術分野】
【０００１】
本発明は、たとえば、カーポートやテラスの屋根として使用される屋根構造体に関する。
【背景技術】
【０００２】
図１２および図１３に示すように、カーポート１００は、屋根を構成する屋根構造体２００がベース４００に下端が埋設されて芯だしされた柱３００に下方から支持されて形成されている。
図１２あるいは図１３中、２１０は水下側枠部材（屋根面が前後に傾斜している場合は後枠とも言われる）、２４０は水上側枠部材（屋根面が前後に傾斜している場合は前枠とも言われる）、５００は雨樋である。
【０００３】
そして、屋根構造体２００としては、図１４に示すように、水下側枠部材２１０に屋根パネル支持ピース（屋根面が前後に傾斜している場合は後枠ピースとも言われる）２２０を支持させるとともに、この屋根パネル支持ピース２２０に屋根パネル２３０の水下側端部を支持させるような構造を採用したものが提案（特許文献１参照）され、また、上市されている。
【０００４】
すなわち、上記水下側枠部材２１０は、アルミニウムあるいはアルミニウム合金等の軽量金属材料を押出成形した型材で形成されていて、集水樋部２１１を有し、集水樋部２１１の屋根内側の側壁２１２の上端に両側に張り出す一対の係合突条２１２ａからなる係合部を備えている。
集水樋部２１１は、図示していないが、底に排水孔が設けられていて、この排水孔に雨樋５００が接続されて、集水樋部２１１に流入した雨水が雨樋５００を介して排水されるようになっている。
【０００５】
一方、屋根パネル支持ピース２２０は、上面カバー部２２１と、下面カバー部２２２と、端面カバー部２２３とを備え、下面カバー部２２２の上面カバー部２２１より突出した部分にフィン２２４が形成されている。また、下面カバー部２２２の下面に係合溝部２２５が設けられている。
また、屋根パネル支持ピース２２０は、水下側枠部材２１０の長手方向の一側からスライドさせて係合溝部２２５に係合突条２１２ａを係合させることによって、端面カバー部２２３側の端部が、集水樋部２１１の開口上方を臨むように水下側枠部材２１０に支持されている。
屋根パネル２３０は、その水下側端部が、上面カバー部２２１と、下面カバー部２２２と、端面カバー部２２３との間に形成された挿入空間に挿入されるとともに、フィン２２４によって下方から受けられた状態で支持されている。
【０００６】
そして、上記屋根構造体においては、屋根構造体上に降った雨が屋根パネル２３０の勾配に沿って水下側枠部材２１０側に向って流下し、その大部分は、屋根パネル支持ピース２２０の上面カバー部２２１を乗り越えて、集水樋部２１１に流れ込む。
また、屋根パネル２３０は、気温の変化や太陽熱によっての熱収縮を吸収するため、屋根パネル支持ピース２２０にシール材などで固定されていないため、雨水の一部は、上面カバー部２２１と屋根パネル２３０との隙間に入り込んで、屋根パネル２３０と下面カバー部２２２の下側に回りこむ。そして、下面カバー部２２０の両端から集水樋部２１１に流れ込んだ雨水は、通常、屋根パネル支持ピースの長手方向端縁部から集水樋部２１１内に流れ込むようになっている。
【先行技術文献】
【特許文献】
【０００７】
【特許文献１】特開平2005-240372号公報
【発明の概要】
【発明が解決しようとする課題】
【０００８】
しかし、昨今は、地球の温暖化の影響と考えられるゲリラ豪雨など、短時間で集中的に大雨が降ることが多くなっている。
そして、従来の上記のようなカーポート１００においては、ゲリラ豪雨などの一度に大量の雨が集中的に降った場合、雨量によっては、屋根パネル２３０と下面カバー部２２２との間に入り込んだ雨水が屋根パネル支持ピース２２０の端縁から十分排水できず、図１４で鎖線で示すように、雨水がフィン２２４を乗り越えて屋根構造体２００の下方に漏水し、屋根構造体２００の下で車を乗り降りする際に漏水した雨水が体にかかるという問題が生じる。
【０００９】
一方、水下側の高さ位置を下げる、あるいは、水上側の高さ位置を上げて、屋根勾配を急勾配にすれば、上記のような問題は解消されるが、建物の形状や、カーポートの設置場所によっては水下側が低くなりすぎて頭が屋根構造体に当たるという問題、柱を長くすることで材料コストがかかるという問題や意匠性に問題がでてくるおそれがある。
【００１０】
本発明は、上記事情に鑑みて、屋根の勾配が小さくした場合においても、大量に降った雨水の一部がフィンを乗り越えて、屋根構造体の下側に漏水することがない屋根構造体を提供することを目的としている。
【課題を解決するための手段】
【００１１】
上記目的を達成するために、本発明にかかる屋根構造体、上面カバー部と、この上面カバー部との間に屋根パネルの挿入空間を形成するとともに、端面カバー部を介して連結された下面カバー部と、下面カバー部から上方に突設されて前記屋根パネルの下面を受けるフィンと、下面カバー部の下面に設けられた係合溝部を有する型材からなる屋根パネル支持ピースが、型材からなる水下側枠部材の記集水樋部の屋根内側の側壁上端に設けられた係合部を、前記係合溝部に前記水下側枠部材の長手方向一側からスライド係合させて前記水下側枠部材に支持されるとともに、前記屋根パネルが、前記挿入空間に挿入された状態で前記集水樋部側が水下となる屋根面を形成するように葺かれている屋根構造体であって、前記屋根パネル支持ピースは、前記集水樋部の屋根内側の側壁に沿って段状に下方に落ち込む壁を有する溝部を備えていることを特徴としている。
【００１２】
本発明の屋根構造体は、特に限定されないが屋根パネルの側縁が、たる木に受けられ、たる木押え部材との間に挟み込まれているとともに、たる木の端縁が、屋根パネル支持ピースに隣接する集水樋部の屋根内側の側壁に下方から受けられている構成とすることが好ましい。
本発明の屋根構造体に用いる屋根パネルとしては、特に限定されないが、たとえば、ポリカーボネート樹脂、アクリル樹脂などの透明樹脂パネルが挙げられ、ポリカーボネート樹脂が一般的である。
【００１３】
本発明の屋根構造体は、上記水下枠部材および屋根パネルやたる木以外に、特に限定されないが、たとえば、側枠部材、水上枠部材、母屋、中骨材等の部材や、キャップ部材を組立てることによって用いて形成される。
また、上記部材のうち、屋根パネルとしては、概ねアルミニウムやアルミニウム合金の型材を用いることが好ましく、キャップ部材等の風圧や雪、屋根構造体の自重によるモーメントがかかりにくく、型材を用いることが困難な部材については、樹脂成形品を用いるようにしても構わない。
【００１４】
また、本発明の屋根構造体は、片流れタイプ、屋根中央が高く、中央から両側に向って屋根勾配を備えたタイプなどが挙げられる。
また、片流れタイプの屋根構造体においては、屋根構造体を水下側でのみ、複数本の柱で支持してもよいし、水上側と水下側でそれぞれ複数本の柱で支持するようにしてもよい。
【発明の効果】
【００１５】
本発明にかかる屋根構造体、以上のように、上面カバー部と、この上面カバー部との間に屋根パネルの挿入空間を形成するとともに、端面カバー部を介して連結された下面カバー部と、下面カバー部から上方に突設されて前記屋根パネルの下面を受けるフィンと、下面カバー部の下面に設けられた係合溝部を有する型材からなる屋根パネル支持ピースが、型材からなる水下側枠部材の記集水樋部の屋根内側の側壁上端に設けられた係合部を、前記係合溝部に前記水下側枠部材の長手方向一側からスライド係合させて前記水下側枠部材に支持されるとともに、前記屋根パネルが、前記挿入空間に挿入された状態で前記集水樋部側が水下となる屋根面を形成するように葺かれている屋根構造体であって、前記屋根パネル支持ピースは、前記集水樋部の屋根内側の側壁に沿って段状に下方に落ち込む壁を有する溝部を備えているようにしたので、屋根パネルと下面カバー部との間に流れ込んだ雨水は、この溝部に入り込み、溝部の壁によって屋根パネル支持ピースの側方に流れるようにガイドされる。しかも、屋根パネルと下面カバー部との間の空間面積が大きくなる。
したがって、屋根勾配を小さくしても、フィンを乗り越えて屋根構造体の下側に雨水が漏れることがない。
【図面の簡単な説明】
【００１６】
【図１】本発明にかかる屋根構造体の１つの実施の形態であって、その屋根勾配に平行な面で切断した断面図である。
【図２】図１の要部拡大図である。
【図３】図１の屋根構造体の屋根勾配に垂直な面で切断した断面図である。
【図４】図１の屋根構造体の屋根パネル支持ピースの斜視図である。
【図５】図４の屋根パネル支持ピースへの屋根パネルの支持状態を説明する斜視図である。
【図６】図１の屋根構造体のたる木と屋根パネル支持ピースの水下側枠部材への取り付け状態を説明する斜視図である。
【図７】本発明の屋根構造体に用いる屋根パネル支持ピースの第１変形例の側面図である。
【図８】本発明の屋根構造体に用いる屋根パネル支持ピースの第２変形例の側面図である。
【図９】本発明の屋根構造体に用いる屋根パネル支持ピースの第３変形例の側面図である。
【図１０】本発明の屋根構造体に用いる屋根パネル支持ピースの第４変形例の側面図である。
【図１１】本発明の屋根構造体に用いる屋根パネル支持ピースの第５変形例を示す側面図である。
【図１２】従来のカーポートの背面図である。
【図１３】従来のカーポートの側面図である。
【図１４】従来のカーポートの水下側枠部材、屋根パネル支持ピースおよび屋根パネルの組立て構造を説明する図である。
【発明を実施するための形態】
【００１７】
以下に、本発明にかかる屋根構造体の実施の形態を図面を参照しつつ詳しく説明する。
図１〜図３は、本発明にかかる屋根構造体の１つの実施の形態をあらわしている。
【００１８】
図１〜図３に示すように、この屋根構造体Ａは、複数枚の屋根パネル３と、１つの水下側枠部材（後枠）１と、複数の屋根パネル支持ピース（後枠ピース）２と、水上側枠部材（前枠）４、複数の母屋５と、左右一対（図面では片側しかあらわれていない）の側枠部材６と、複数の中骨部材８と、母屋５と同数のたる木３１と、たる木と同数のたる木押え材３２と、左右一対の側枠たる木３３と、左右一対の側枠たる木押え材３４と、２本の梁７を備え、これらが組み立てられて形成されている。
【００１９】
また、屋根パネル３は、アクリル樹脂等の透明樹脂からなる板材であって、後述するように水下側が屋根パネル支持ピース２を介して水下側枠部材１に支持され、水上側が水上側枠部材４、幅方向がたる木３１と、たる木押え材３２あるいは側枠たる木３３と側枠たる木押え材３４との間で挟持された状態で葺かれて屋根面を形成している。
水下側枠部材１と、屋根パネル支持ピース２と、水上側枠部材４と、母屋５と、側枠部材６と、中骨部材８と、たる木３１と、たる木押え材３２と、側枠たる木３３と、側枠たる木押え材３４と、梁７は、それぞれアルミニウムやアルミニウム合金等の金属材料を押出成形した型材で形成されている。
【００２０】
水下側枠部材１は、集水溝部１１を長手方向に連続して備えている。
また、水下側枠部材１は、集水溝部１１の屋根内側の側壁１１ａの上端に屋根構造体Ａの勾配方向に張り出す１対の係合突条１１ｂを備えた係合部を備えている。
【００２１】
屋根パネル支持ピース２は、図３〜図６に示すように、上面カバー部２１と、下面カバー部２２と、端面カバー部２３と、フィン２４と、係合溝部２５を備えている。
下面カバー部２２は、上記側壁１１ａに沿って段状に落ち込む壁ｗを有する溝部２２ａを備えているとともに、上面カバー部２１の端縁より幅方向の寸法が長く、その端部が上面カバー部２１の端縁より突出していて、この突出する部分にフィン２４が突設されている。なお、壁ｗの高さ（上下方向の寸法）３〜１０ｍｍが好ましい。高さが低すぎると壁ｗの効果が十分に発揮できなくなるおそれがあり、壁ｗの高さが高くなり過ぎても本発明の目的は達成できるが、集水溝部１１側への入り込みが大きくなり邪魔になるおそれがある。
【００２２】
係合溝部２５は、係合突条１１ｂが係合する係合溝２５ａを両側面に備えている。
そして、屋根パネル支持ピース２は、水下側枠部材１の長手方向の一方から係合溝部２５の係合溝２５ａに係合突条１１ｂが係合されるように所定位置までスライドさせることによって水下側枠部材１に支持されている。
なお、屋根パネル支持ピース２は、後述するように屋根パネル３の水下側端部を支持すると、屋根パネル３側から加わる荷重によってスライドせず実質的に固定状態となるため、水下側枠部材１にビス等で固定されていない。
【００２３】
水上側枠部材４は、水下側枠部材１に平行に設けられ、側枠部材６は水上側枠部材４および水下側枠部材１に直交するように設けられている。
そして、水下側枠部材１と側枠部材６、および、水上側枠部材４側枠部材６は、図示していないが、その端部で樹脂製のキャップ部材を介して連結されるとともに、水密に閉じられている。
【００２４】
水下側枠部材１と水上側枠部材４の間には、隣接して葺かれる屋根パネル３の端部同士を下方から受けることができるピッチで、複数の母屋５が掛け渡されていて、各母屋５の端部が水下側枠部材１と水上側枠部材４にセルフドリリングビスおよびＬ字金具を介して固定されている。
各母屋５は、同ピッチで設けられた梁７によって下方から受けられている。
【００２５】
梁７は、その両端部で従来の屋根構造体１００と同様に柱キャップ９１を備えた柱９によって下方から支持された状態で固定されている。
中骨部材８は、母屋５に下方から受けられるように、水下側枠部材１と水上側枠部材４とに平行に等ピッチで設けられ、セルフドリリングビスおよびＬ字金具を介して母屋５および側枠部材６に固定されている。
【００２６】
たる木３１は、母屋５に平行に各母屋５と同じピッチで設けられ、隣接する屋根パネル３の端部を下方から受けるように配置され、セルフドリリングビスによって中骨部材８、水下側枠部材１および水上側枠部材４に固定されている。
たる木押え材３２は、たる木３１との間で屋根パネル３の端部を挟み込むように設けられ、タッピングビスによって屋根パネル３の挟持状態を保持できるピッチでたる木３１に固定されている。
【００２７】
側枠たる木３３は、側枠部材６によって下側から受けられるよう設けられるとともに、側枠部材６側端に配置される屋根パネル３の幅方向の端部を下方から受けている。
側枠たる木押え材３４は、側枠たる木３３との間で屋根パネル３の端部を挟み込むように設けられタッピングビスによって屋根パネル３の挟持状態を保持できるピッチで側枠たる木３３に固定されている。
なお、  図１，３中、ｂは先付けビードである。
【００２８】
また、屋根パネル３は、水下側端部が、図５に示すように、挿入空間２０内に挿入され、下面がフィン２４によって受けられた状態に設けられている。
なお、屋根パネル３の挿入空間２０内への挿入は、水上側の端部を水上側枠部材４への固定に先だって行われる。
【００２９】
この屋根構造体Ａは、上記のように、屋根パネル支持ピース２の下面カバー部２２が壁ｗを有する溝部２２ａを備えているので、上面カバー部２１と屋根パネル３との間から屋根パネル３と下面カバー部２２側に流れ込んだ雨水は、溝部２２の壁ｗにまずあたり、屋根パネル支持ピース２の長手方向両端へ導かれ、集水樋部１１内に流れ込む。
しかも、溝部２２を設けることによって屋根パネルと下面カバー部２２との間の容積が大きくなる。
【００３０】
したがって、屋根の勾配が４°程度の小さな勾配となるように屋根構造体Ａを支持させたときにおいても、屋根パネル３と下面カバー部２２側に流れ込んだ雨水がフィン２４を乗り越えて屋根構造体Ａの下方に漏れ出ることがなくなる。
また、水下側枠部材１と屋根パネル支持ピース２が別構造になっているとともに、屋根パネル支持ピース２にフィン２４が付いているので、水下側枠部材の全長にわたってフィンを設けた構造のようにたる木を設置する位置でフィンの一部を切除するという困難な作業が不要である。また、切り詰め時も屋根パネル支持ピース２を切断するだけの作業ですみ、現場施工作業が容易である。
【００３１】
図７は、本発明の屋根構造体に用いる屋根パネル支持ピースの第１の変形例をあらわしている。
図７に示すように、この屋根パネル支持ピース２ｂは、溝部２２ｂの形状が異なっている以外は、上記屋根パネル支持ピース２ａと同様になっている。
【００３２】
図８は、本発明の屋根構造体に用いる屋根パネル支持ピースの第２の変形例をあらわしている。
図８に示すように、この屋根パネル支持ピース２ｃは、溝部２２ｃの形状が異なっている以外は、上記屋根パネル支持ピース２ａ（２ｂ）と同様になっている。
【００３３】
図９は、本発明の屋根構造体に用いる屋根パネル支持ピースの第３の変形例をあらわしている。
図９に示すように、この屋根パネル支持ピース２ｃは、溝部２２ｄの形状が異なっている以外は、上記屋根パネル支持ピース２ａ（２ｂ，２ｃ）と同様になっている。
【００３４】
図１０は、本発明の屋根構造体に用いる屋根パネル支持ピースの第４の変形例をあらわしている。
図１０に示すように、この屋根パネル支持ピース２ｄは、溝部２２ｅの形状が異なっている以外は、上記屋根パネル支持ピース２ａ（２ｂ，２ｃ，２ｄ）と同様になっている。
【００３５】
図１１は、本発明の屋根構造体に用いる屋根パネル支持ピースの第５の変形例をあらわしている。
図１１に示すように、この屋根パネル支持ピース２ｆは、溝部２２ｅの形状が異なっている以外は、上記屋根パネル支持ピース２ａ（２ｂ，２ｃ，２ｄ，２ｅ）と同様になっている。
【００３６】
本発明は、上記の実施の形態に限定されない。屋根勾配の上流側、下流側を柱で支持するようになっていたが、片持ちでも構わない。
【符号の説明】
【００３７】
Ａ  屋根構造体
１  水下側枠部材
１１  集水樋部
１１ａ  側壁（集水樋部１１の側壁）
２ａ,２ｂ,２ｃ,２ｄ,２ｅ,２ｆ  屋根パネル支持ピース
２０  挿入空間
２１  上部カバー部
２２  下部カバー部
２２ａ,２２ｂ,２２ｃ,２２ｄ,２２ｅ,２２ｆ  溝部
２３  端面カバー部
２４  フィン
２５  係合溝部
２５ａ  係合溝
３  屋根パネル
３１  たる木
３２  たる木押え材
３３  側枠たる木
３４  側枠たる木押え材
４  水上側枠部材
５  母屋
６  側枠部材
７  梁
８  中骨部材
９  柱
９１  柱キャップ
ｂ  先付けビード
ｗ  壁（溝部の壁）
【図１】
2016011531.tif 000003
【図２】
2016011531.tif 000004
【図３】
2016011531.tif 000005
【図４】
2016011531.tif 000006
【図５】
2016011531.tif 000007
【図６】
2016011531.tif 000008
【図７】
2016011531.tif 000009
【図８】
2016011531.tif 000010
【図９】
2016011531.tif 000011
【図１０】
2016011531.tif 000012
【図１１】
2016011531.tif 000013
【図１２】
2016011531.tif 000014
【図１３】
2016011531.tif 000015
【図１４】
2016011531.tif 000016